【手続補正書】
【提出日】平成17年10月14日(2005.10.14)
【手続補正１】
【補正対象書類名】明細書
【補正対象項目名】発明の名称
【補正方法】変更
【補正の内容】
【発明の名称】カメラ制御システム、映像送信端末、映像送信端末の制御方法、及び記憶媒体
【手続補正２】
【補正対象書類名】明細書
【補正対象項目名】特許請求の範囲
【補正方法】変更
【補正の内容】
【特許請求の範囲】
【請求項１】  複数の操作端末及びビデオカメラと接続し、前記複数の操作端末から受信した制御命令に基づきビデオカメラを制御する映像送信端末の制御方法であって、
前記ビデオカメラの制御状態をロックするロック命令を出力するロック命令出力工程と、
前記ロック命令出力工程によって前記ビデオカメラの制御状態をロックする命令が出力された場合、前記制御工程による前記ビデオカメラの制御を禁止する制御禁止工程とを備えることを特徴とする映像送信端末の制御方法。
【請求項２】  請求項１において、さらに、前記ビデオカメラの制御命令あるいは前記ビデオカメラの制御状態をロックするロック命令がどの操作端末から出力されたかどうかを判別する判別工程とを備え、前記ビデオカメラの制御状態をロックするロック命令が出力された操作端末と前記ビデオカメラの制御命令が出力された操作端末とが一致した場合は、前記制御禁止工程によって前記ビデオカメラの制御を禁止しないことを特徴とする映像送信端末の制御方法。
【請求項３】  請求項２において、さらに、前記ビデオカメラのロックされた制御状態を解除する解除命令を出力するロック解除命令出力工程とを備えることを特徴とする映像送信端末の制御方法。
【請求項４】  請求項３において、前記判別工程は、前記ビデオカメラの制御状態のロックを解除する命令がどの操作端末によって出力されたのかを判別することが可能であり、前記ビデオカメラの制御状態をロックするロック命令と前記ビデオカメラの制御状態のロックを解除する解除命令とが同一の操作端末によって出力されたことが前記判別工程によって判別された場合に、前記ビデオカメラのロックを解除する解除工程とを備えることを特徴とする映像送信端末の制御方法。
【請求項５】  請求項４において、所定時間が経過した場合、前記ビデオカメラの制御状態をロックするように構成されていることを特徴とする映像送信端末の制御方法。
【請求項６】  複数の操作端末及びビデオカメラと接続し、前記複数の操作端末から受信した制御命令に基づきビデオカメラを制御する映像送信端末の制御方法であって、
第１、第２の制御モードを切換える切換え工程と、
前記第１の制御モードに切換えられている状態で、前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御工程と、
前記第２の制御モードに切換えられている状態で、前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御工程と、を備えることを特徴とする映像送信端末の制御方法。
【請求項７】  複数の操作端末及びビデオカメラと接続し、前記複数の操作端末から受信した制御命令に基づきビデオカメラを制御する映像送信端末であって、
前記ビデオカメラの制御命令を受信する制御命令受信手段と、
前記制御命令受信手段によって受信された制御命令に基づいて、前記ビデオカメラを制御する制御手段と、
前記ビデオカメラの制御状態をロックするロック命令を受信するロック命令受信手段と、
前記ロック命令受信手段によって前記ビデオカメラの制御状態をロックする命令が受信された場合、前記制御手段による前記ビデオカメラの制御を禁止する制御禁止手段とを備えることを特徴とする映像送信端末。
【請求項８】  請求項７において、さらに、前記ビデオカメラの制御命令あるいは前記ビデオカメラの制御状態をロックするロック命令がどの操作端末から出力されたかどうかを判別する判別手段とを備え、前記ビデオカメラの制御状態をロックするロック命令を出力した操作端末と前記ビデオカメラの制御命令を出力した操作端末とが一致した場合は、前記制御禁止手段によって前記ビデオカメラの制御を禁止しないように構成されていることを特徴とする映像送信端末。
【請求項９】  請求項８において、さらに、前記ビデオカメラの制御状態のロックを解除する解除命令を受信するロック解除命令受信手段とを備えることを特徴とする映像送信端末。
【請求項１０】  請求項９において、前記判別手段は、前記ビデオカメラの制御状態のロックを解除する命令がどの操作端末によって出力されたのかを判別することが可能であり、前記ビデオカメラの制御状態をロックするロック命令と前記ビデオカメラの制御状態のロックを解除する解除命令とが同一の操作端末によって出力されたことが前記判別手段によって判別された場合に、前記ビデオカメラのロックを解除する解除手段とを備えることを特徴とする映像送信端末。
【請求項１１】  請求項７または請求項８において、所定時間が経過した場合、前記ビデオカメラのロックを解除するように構成されていることを特徴とする映像送信端末。
【請求項１２】  複数の操作端末及びビデオカメラと接続し、前記複数の操作端末から受信した制御命令に基づきビデオカメラを制御する映像送信端末であって、
前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御手段と、
前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御手段と、
前記第１、第２の制御手段を切換える切換え手段とを備えることを特徴とする映像送信端末。
【請求項１３】  複数の操作端末と、複数の操作端末及びビデオカメラと接続し、前記複数の操作端末から受信した制御命令に基づきビデオカメラを制御する映像送信端末と、を含むカメラ制御システムであって、
前記映像送信端末は、
前記ビデオカメラの制御命令を受信する制御命令受信手段と、
前記制御命令受信手段によって受信された制御命令に基づいて、前記ビデオカメラを制御する制御手段と、
前記ビデオカメラの制御状態をロックするロック命令を受信するロック命令受信手段と、
前記ロック命令受信手段によって前記ビデオカメラの制御状態をロックする命令が受信された場合、前記制御手段による前記ビデオカメラの制御を禁止する制御禁止手段とを備え、
前記複数の操作端末の少なくとも１つの操作端末は、
前記ロック命令を発行するか否かを指示するための表示手段を備えることを特徴とするカメラ制御システム。
【請求項１４】  複数の操作端末と、複数の操作端末及びビデオカメラと接続し、前記複数の操作端末から受信した制御命令に基づきビデオカメラを制御する映像送信端末と、を含むカメラ制御システムであって、
前記映像送信端末は、
前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御手段と、
前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御手段と、
前記第１、第２の制御手段を切換える切換え手段とを備え、
前記複数の操作端末の少なくとも１つの操作端末は、
前記第１、第２の制御手段のいずれの切換え指示を発行するかを選択するための表示手段を備えることを特徴とするカメラ制御システム。
【請求項１５】  複数の操作端末及びビデオカメラと接続し、前記複数の操作端末から受信した制御命令に基づきビデオカメラを制御する映像送信端末の処理を実行させるプログラムを記憶した記憶媒体であって、
前記ビデオカメラの制御命令を受信させ、
受信させた制御命令に基づいて、前記ビデオカメラを制御させ、
前記ビデオカメラの制御状態をロックするロック命令を受信させ前記ビデオカメラの制御状態をロックする命令が受信された場合、前記ビデオカメラの制御を禁止させるプログラムを記憶した記憶媒体。
【請求項１６】  複数の操作端末及びビデオカメラと接続し、前記複数の操作端末から受信した制御命令に基づきビデオカメラを制御する映像送信端末の処理を実行させるプログラムを記憶した記憶媒体であって、
前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止させる制御と、
前記複数の操作端末の内の任意の操作端末から前記ビデオカメラの制御権を要求する制御権要求命令が受信された場合、前記制御権要求命令を出力した操作端末のみ前記ビデオカメラの制御を可能とさせる制御とを切換え可能とさせるプログラムを記憶した記憶媒体。
【手続補正３】
【補正対象書類名】明細書
【補正対象項目名】０００８
【補正方法】変更
【補正の内容】
【０００８】
【課題を解決するための手段】
上述した目的を達成するために、本発明の映像送信端末の制御方法は、複数の操作端末及びビデオカメラと接続し、前記複数の操作端末から受信した制御命令に基づきビデオカメラを制御する映像送信端末の制御方法であって、前記ビデオカメラの制御状態をロックするロック命令を出力するロック命令出力工程と、前記ロック命令出力工程によって前記ビデオカメラの制御状態をロックする命令が出力された場合、前記制御工程による前記ビデオカメラの制御を禁止する制御禁止工程とを備えることを特徴とする。
また、本発明の映像送信端末の制御方法は、複数の操作端末及びビデオカメラと接続し、前記複数の操作端末から受信した制御命令に基づきビデオカメラを制御する映像送信端末の制御方法であって、第１、第２の制御モードを切換える切換え工程と、前記第１の制御モードに切換えられている状態で、前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御工程と、前記第２の制御モードに切換えられている状態で、前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御工程と、を備えることを特徴とする。
また、本発明の映像送信端末は、複数の操作端末及びビデオカメラと接続し、前記複数の操作端末から受信した制御命令に基づきビデオカメラを制御する映像送信端末であって、前記ビデオカメラの制御命令を受信する制御命令受信手段と、前記制御命令受信手段によって受信された制御命令に基づいて、前記ビデオカメラを制御する制御手段と、前記ビデオカメラの制御状態をロックするロック命令を受信するロック命令受信手段と、前記ロック命令受信手段によって前記ビデオカメラの制御状態をロックする命令が受信された場合、前記制御手段による前記ビデオカメラの制御を禁止する制御禁止手段とを備えることを特徴とする。
また、本発明の映像送信端末は、複数の操作端末及びビデオカメラと接続し、前記複数の操作端末から受信した制御命令に基づきビデオカメラを制御する映像送信端末であって、前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御手段と、前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御手段と、前記第１、第２の制御手段を切換える切換え手段とを備えることを特徴とする。
また、本発明のカメラ制御システムは、複数の操作端末と、複数の操作端末及びビデオカメラと接続し、前記複数の操作端末から受信した制御命令に基づきビデオカメラを制御する映像送信端末と、を含むカメラ制御システムであって、前記映像送信端末は、前記ビデオカメラの制御命令を受信する制御命令受信手段と、前記制御命令受信手段によって受信された制御命令に基づいて、前記ビデオカメラを制御する制御手段と、前記ビデオカメラの制御状態をロックするロック命令を受信するロック命令受信手段と、前記ロック命令受信手段によって前記ビデオカメラの制御状態をロックする命令が受信された場合、前記制御手段による前記ビデオカメラの制御を禁止する制御禁止手段とを備え、前記複数の操作端末の少なくとも１つの操作端末は、前記ロック命令を発行するか否かを指示するための表示手段を備えることを特徴とする。
また、本発明のカメラ制御システムは、複数の操作端末と、複数の操作端末及びビデオカメラと接続し、前記複数の操作端末から受信した制御命令に基づきビデオカメラを制御する映像送信端末と、を含むカメラ制御システムであって、前記映像送信端末は、前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止する第１の制御手段と、前記複数の操作端末の内の任意の操作端末から前記ビデオカメラの制御権を要求する制御権要求命令が受信された場合、前記制御権要求命令を出力した操作端末のみ前記ビデオカメラの制御を可能とする第２の制御手段と、前記第１、第２の制御手段を切換える切換え手段とを備え、前記複数の操作端末の少なくとも１つの操作端末は、前記第１、第２の制御手段のいずれの切換え指示を発行するかを選択するための表示手段を備えることを特徴とする。
また、本発明の記憶媒体は、複数の操作端末及びビデオカメラと接続し、前記複数の操作端末から受信した制御命令に基づきビデオカメラを制御する映像送信端末の処理を実行させるプログラムを記憶した記憶媒体であって、前記ビデオカメラの制御命令を受信させ、受信させた制御命令に基づいて、前記ビデオカメラを制御させ、前記ビデオカメラの制御状態をロックするロック命令を受信させ前記ビデオカメラの制御状態をロックする命令が受信された場合、前記ビデオカメラの制御を禁止させるプログラムを記憶したことを特徴とする。
また、本発明の記憶媒体は、複数の操作端末及びビデオカメラと接続し、前記複数の操作端末から受信した制御命令に基づきビデオカメラを制御する映像送信端末の処理を実行させるプログラムを記憶した記憶媒体であって、前記複数の操作端末の内の任意の操作端末から前記ビデオカメラの制御状態をロックする制御ロック命令が受信された場合、前記制御ロック命令を出力した操作端末以外の操作端末による前記ビデオカメラの制御を禁止させる制御と、前記複数の操作端末の内の任意の操作端末から前記ビデオカメラの制御権を要求する制御権要求命令が受信された場合、前記制御権要求命令を出力した操作端末のみ前記ビデオカメラの制御を可能とさせる制御とを切換え可能とさせるプログラムを記憶したことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】